(57)【要約】【課題】風呂水ポンプと給水装置を直結させる構成おいても、外観デザインに対する自由度を保ったまま、風呂水ポンプを既存モデルと共用することを目的とする。【解決手段】水道水を給水する給水弁１３と、風呂水を給水する風呂水ポンプ６と、給水弁１３及び風呂水ポンプ６を固定し、給水弁１３及び風呂水ポンプ６からの水を給水する注水経路４を形成した注水支持部材３とを備え、風呂水ポンプ６の給水接続口１１に連結部材１２を接続し、連結部材１２の給水接続口１７と給水弁１３の給水接続口１６を略同一高さに形成する。【選択図】図１
2015204938.tif 000002
【特許請求の範囲】
【請求項１】
水道水を給水する給水弁と、風呂水を給水する風呂水ポンプと、前記給水弁及び前記風呂水ポンプを固定し、前記給水弁及び前記風呂水ポンプからの水を給水する注水経路を形成した注水支持部材とを備え、前記風呂水ポンプの給水接続口に連結部材を接続し、前記連結部材の給水接続口と前記給水弁の給水接続口を略同一高さに形成した洗濯機。
【請求項２】
風呂水ポンプと給水弁は、注水支持部材の相対向する側面に取り付ける請求項１記載の洗濯機。
【請求項３】
注水支持部材の差込口への風呂水ポンプの接続口の挿入方向を、風呂水ポンプの注水支持部材へのネジ固定方向を略同方向とした請求項１または２に記載の洗濯機。
【発明の詳細な説明】
【技術分野】
【０００１】
本発明は、水道水および風呂水を洗濯槽内に注ぐ洗濯機に関するものである。
【背景技術】
【０００２】
従来、洗濯機は、筐体内に洗濯槽を回転自在に収納し、洗濯槽に給水する給水装置が設けられている（例えば、特許文献１参照）。
【０００３】
図１は、従来の洗濯機の注水装置の分解斜視図である。
【０００４】
図１において、注水支持部材１９には、水道水を供給する給水弁２２と、風呂水を吸水し供給する風呂水ポンプ２７とが接続され、注水支持部材１９に形成された注水経路２０より、水道水および風呂水を洗濯槽内に注水する。
【０００５】
注水支持部材１９には、給水弁２２の流水口２３を接続する差込口２４と、風呂水ポンプ２７の接続口２９を接続する差込口３１とを設けている。
【０００６】
風呂水ポンプ２７は、注水支持部材１９に設けた固定部３３にフランジ３２を介してネジ固定している。
【０００７】
給水弁２２は、注水支持部材１９に設けた固定部３７にフランジ３６を介してネジ固定している。
【先行技術文献】
【特許文献】
【０００８】
【特許文献１】特開２０１３−１５０６５４号公報
【発明の概要】
【発明が解決しようとする課題】
【０００９】
しかしながら、このような従来の構成では、風呂水ポンプ２７と給水弁２２は、注水支持部材１９の上に配置されているため、新たな製品に搭載する際には、注水支持部材１９の形状、洗濯機本体の上面の形状などにより、注水支持部材１９と風呂水ポンプとの位置的関係の制約が大きくなり、外観形状の変更により、風呂水ポンプを既存モデルと共用したままでは筐体内に配置できない場合が生じ、風呂水ポンプを新たに作成する、あるいは外観デザインを変更するなどの対応を行なう必要があった。
【００１０】
本発明は、上記前記従来の課題を解決するもので、風呂水ポンプと給水装置を直結させる構成おいても、外観デザインに対する自由度を保ったまま、風呂水ポンプを既存モデルと共用することを目的とする。
【課題を解決するための手段】
【００１１】
本発明は上記目的を達成するために、本発明の洗濯機は、水道水を給水する給水弁と、風呂水を給水する風呂水ポンプと、前記給水弁及び前記風呂水ポンプを固定し、前記給水弁及び前記風呂水ポンプからの水を給水する注水経路を形成した注水支持部材とを備え、前記風呂水ポンプの給水接続口に連結部材を接続し、前記連結部材の給水接続口と前記給水弁の給水接続口を略同一高さに形成したものである。
【発明の効果】
【００１２】
本発明の洗濯機は、既存モデルとバスポンプを共用しつつ、外部接続口の位置を自由に配置可能であり、使い勝手の良い洗濯機とすることができる。
【図面の簡単な説明】
【００１３】
【図１】本発明の実施の形態における要部斜視図
【図２】同洗濯機の上面図
【図３】図２におけるＡ−Ａ断面図
【図４】図２におけるＢ−Ｂ断面図
【図５】従来の洗濯機の要部分解斜視図
【発明を実施するための形態】
【００１４】
第１の発明は、水道水を給水する給水弁と、風呂水を給水する風呂水ポンプと、前記給水弁及び前記風呂水ポンプを固定し、前記給水弁及び前記風呂水ポンプからの水を給水する注水経路を形成した注水支持部材とを備え、前記風呂水ポンプの給水接続口に連結部材を接続し、前記連結部材の給水接続口と前記給水弁の給水接続口を略同一高さに形成したものである。
【００１５】
これによって、給水弁の給水接続口と、風呂水ポンプの給水接続口との高さの差が大きくなっても、連結部材を調整することにより、洗濯機本体において、給水弁の給水接続口と風呂水ポンプの給水接続口とを使い勝手の良い高さに自由に設定することが可能となる。また、バスポンプを既存モデルと共用することが可能となるため、追加の金型を作成し新ユニットとする必要が無く、コスト面でのメリットも発生する。
【００１６】
第２の発明は、第１の発明において、風呂水ポンプと給水弁は、注水支持部材の相対向する側面に取り付けることにより、小型化を図ることができる。
【００１７】
第３の発明は、第１または第２の発明において、注水支持部材の差込口への風呂水ポンプの接続口の挿入方向を、風呂水ポンプの注水支持部材へのネジ固定方向を略同方向とすることにより、風呂水ポンプの取り付け安定性を図ることができる。
【００１８】
以下、本発明の実施の形態について、図面を参照しながら説明する。なお、この実施の形態によって本発明が限定されるものではない。
【００１９】
（実施の形態）
図１は本発明の実施の形態における洗濯機の要部斜視図、図２は同洗濯機の上面図、図３は図２におけるＡ−Ａ断面図、図４は図２におけるＢ−Ｂ断面図である。
【００２０】
図２において、洗濯機本体１内には、洗濯槽（図示せず）が収納されており、洗濯機本体１の上面には、洗濯槽への洗濯物投入用の開口部（図示せず）を開閉自在に閉塞する蓋体２が設けられ、後方側の内部に注水支持部材３が収納されている。
【００２１】
注水支持部材３は、略矩形上に形成され、内部に注水経路４を形成し、一側面に注水口５を形成している。注水支持部材３の注水口５が形成された側面に隣接する一方の側面に風呂水ポンプ６を接続する差込口７を形成し、風呂水ポンプ６を固定する固定部８を突設している。
【００２２】
風呂水ポンプ６は、側面から突設した接続口９を、防水用パッキン（図示せず）を介して差込口７に挿入し、側方に延設したフランジ部１０を固定部８に緩衝材（図示せず）を介してネジ固定される。風呂水ポンプ６の給水接続口１１には、防水用パッキン（図示せず）を介して連結部材１２が接続されている。
【００２３】
注水支持部材３の注水口５が形成された側面に隣接する他方の側面であり、風呂水ポンプ６が取り付けられる側面と相対向する側面に、給水弁１３を接続する差込口１４を形成している。差込口７と差込口１４は、略相対向する位置に形成している。
【００２４】
給水弁１３は、側方に形成した接続口１５を、防水用パッキン（図示せず）を介して差込口１４に挿入し、注水支持部材３にネジ固定される。給水弁１３の給水接続口１６と風呂水ポンプ６の給水接続口１１に接続される連結部材１２の給水接続口１７は、略同一高さに位置するように形成している。
【００２５】
以上のように、風呂水ポンプ６は、注水支持部材３にネジ固定されているので、注水支持部材３から外れることはなく、また、緩衝材を介してネジ固定しているので、風呂水ポンプ６の振動が注水支持部材３に伝達されるのを低減し、静音化することができる。
【００２６】
また、風呂水ポンプ６を注水支持部材３にネジ固定する方向は、接続口９を差込口７に挿入する方向と同方向であるため、接続口９の差込口７への挿入代のバラツキの発生を抑制でき、水漏れの安定性を図ることができ、風呂水ポンプ６の取り付け安定性を図ることができる。
【００２７】
給水弁１３は、注水支持部材３にネジ固定しているので、注水支持部材３から外れることがない。
【００２８】
風呂水ポンプ６及び給水弁１３は、注水支持部材３の側面に接続しているので、注水支持部材３を小型化でき、注水支持部材３に風呂水ポンプ６及び給水弁１３を取り付けてユニットとした状態での小型化を図ることができる。
【００２９】
さらに、風呂水ポンプ６の接続口９と給水弁１３の接続口１５とをほぼ向かい合う位置に配設したことにより、前後方向に並べて配設した場合に比べ、奥行きスペースを小さくすることが可能となる。また、上下方向に重なるように配設した場合に比べ、洗濯機の高さを低くすることが可能となる。
【００３０】
給水弁１３の給水接続口１６と、連結部材１２の給水接続口１７は、ほぼ同一高さに位置するように構成しているので、洗濯機本体上面における給水接続口１６と給水接続口１７の接続部分周囲の形状をほぼ同じにすることができ、すっきりとしたデザインとすることができる。
【００３１】
例えば、洗濯機本体の上面が、風呂水ポンプ６側が低くなるデザイン形状になった場合には、注水支持部材３と風呂水ポンプ６を変更することなく、連結部材１２を短い連結部材に変更することで対応することができ、外観デザインに自由度を持たせ、外観デザインの変更に安価に対応することができる。
【産業上の利用可能性】
【００３２】
以上のように、本発明にかかる洗濯機は、バスポンプの種類を増やすことなく、部品・組立工数ともに低コストでおさえながらも、外観デザインに自由度を持たせ、高品位な製品を提供することができる。
【符号の説明】
【００３３】
３  注水支持部材
４  注水経路
５  注水口
６  風呂水ポンプ
７  差込口
９  接続口
１１  給水接続口
１２  連結部材
１３  給水弁
１４  差込口
１５  接続口
１６  給水接続口
１７  給水接続口
【図１】
2015204938.tif 000003
【図２】
2015204938.tif 000004
【図３】
2015204938.tif 000005
【図４】
2015204938.tif 000006
【図５】
2015204938.tif 000007